(57)【要約】【課題】リリーフ圧を高リリーフ圧と低リリーフ圧との間で任意に設定することができるリリーフ弁を提供する。【解決手段】本発明にかかるリリーフ弁１ａは、第１付勢部材４によって付勢されたスプール３と、スプール３の内部に設けられた内部ピストン５と、押圧部８ａと、による力の釣り合いによって、リリーフ圧を高リリーフ圧から低リリーフ圧までの間で調整することができる。ここで、押圧部８ａは、油圧ポンプなどの流体圧発生源１００に接続される第１流路２２の流体の圧力によって内部ピストン５に作用する力から独立して、スプール３の第１端部３１を押圧可能である。【選択図】図１
2008256045.tif 000002
【特許請求の範囲】
【請求項１】
流体圧発生源に接続される第１流路と、リリーフ流路と、前記第１流路に連通する第２流路と、が形成されたケーシングと、
一端側の第１端部から他端側の第２端部方向に陥入して設けられた第１内部空間と、前記第１内部空間と前記第１流路とを連通する第１連通路とが形成されており、前記第１流路と前記リリーフ流路との間を開閉するスプールと、
前記スプールの前記第２端部を押圧可能に設けられ、前記第１流路と前記リリーフ流路との間を閉じる方向に前記スプールを付勢する第１付勢部材と、
前記第１内部空間において前記第１端部側に配置される第１ピストン部と、前記第１ピストン部と軸方向に並んで前記第２端部側に配置される第２ピストン部と、前記第１ピストン部と前記第２ピストン部との間に設けられる第２付勢部材と、を有し、前記第２ピストン部に設けられた第２連通路を介して前記第１内部空間と連通し且つ前記第１内部空間より小径の第２内部空間が前記第１ピストン部と前記第２ピストン部との間に形成された内部ピストンと、
入力される指令信号に応じて前記第１流路と前記第２流路との間を開閉し、前記第１流路を流れる流体を減圧して前記第２流路に送ることができる電磁比例圧力制御弁と、
前記第１流路の流体の圧力によって前記内部ピストンに作用する力から独立して、前記第２流路の流体の圧力を用いて前記スプールの前記第１端部を押圧可能な押圧部と、
を備えるリリーフ弁。
【請求項２】
前記押圧部は、前記スプールの前記第１端部側の空間と前記第２流路とを連通する第３連通路を有する、
請求項１に記載のリリーフ弁。
【請求項３】
前記押圧部は、前記内部ピストンに対向する円筒部と、前記円筒部の外周に設けられ前記第２流路と連通する円管状空間において、軸方向に移動可能に設けられ前記第２流路の流体の圧力によって押圧されることにより前記スプールの前記第１端部のみを押圧する押圧部材と、を有する、
請求項１に記載のリリーフ弁。
【請求項４】
前記ケーシングには、前記円筒部より大きな外径の円筒形状を有し前記第２流路と連通する孔が形成されており、
前記円筒部は、前記ケーシングと別体であり、前記ケーシングの孔に同軸に配置されることにより、前記円管状空間を構成する、
請求項３に記載のリリーフ弁。
【発明の詳細な説明】
【技術分野】
【０００１】
本発明はリリーフ弁に関する。
【背景技術】
【０００２】
従来、入力される電流値を変えることにより流体回路中の流体の圧力を調節可能である電磁比例圧力制御弁が広く知られている（特許文献１参照）。
【特許文献１】特開２００３−１８５０４４号公報
【発明の開示】
【発明が解決しようとする課題】
【０００３】
上記のような電磁比例圧力制御弁を用いて一旦パイロット圧を発生させ、このパイロット圧を用いて、リリーフ圧を高圧値と低圧値との２段階に設定変更可能とした構成のリリーフ弁がある。このリリーフ弁の構造を図６および図７にしめす。このリリーフ弁は、ケーシング２と、スプール３と、第１付勢部材４と、内部ピストン５と、低圧ピストン１０と、電磁比例圧力制御弁７とを備える。
【０００４】
ケーシング２には、油圧ポンプ等の流体圧発生源１００と連通する第１流路２２と、リリーフ流路２３と、電磁比例圧力制御弁７を経由して第１流路２２に連通する第２流路２４と、が形成されている。なお、図中では、便宜的に流路を破線で示している。
【０００５】
スプール３には、一端側の第１端部３１から他端側の第２端部３２方向に陥入して設けられた第１内部空間３３と、第１内部空間３３と第１流路２２とを連通する第１連通路３４とが形成されている。このスプール３は、軸方向に移動することによって、第１流路２２とリリーフ流路２３との間を開閉する。
【０００６】
第１付勢部材４は、スプール３の第２端部３２を押圧可能に設けられ、第１流路２２とリリーフ流路２３との間を閉じる方向にスプール３を付勢する。
【０００７】
内部ピストン５は、第１内部空間３３において第１端部３１側に配置される第１ピストン部５１と、第１ピストン部５１と軸方向に並んで第２端部３２側に配置される第２ピストン部５２と、第１ピストン部５１と第２ピストン部５２との間に設けられる第２付勢部材５３と、を有している。また、内部ピストン５においては、第２ピストン部５２に設けられた第２連通路５４を介して第１内部空間３３と連通し且つ第１内部空間３３より小径の第２内部空間５５が、第１ピストン部５１と前記第２ピストン部５２との間に形成されている。
【０００８】
低圧ピストン１０は、スプール３と同程度の外径を有しており、スプール３の第１端部３１と内部ピストン５とに対向している。低圧ピストン１０は、軸方向に移動可能に設けられており、低圧ピストン１０に対してスプール３と反対側に位置する空間Ｓ１０に第２流路２４の流体が充填されることにより、スプール３の第１端部３１と内部ピストン５とを押圧することができる（図７の矢印Ａ１参照）。
【０００９】
電磁比例圧力制御弁７は、入力される指令信号に応じて第１流路２２を流れる流体を減圧して第２流路２４に送ることができる。
【００１０】
このリリーフ弁では、電磁比例圧力制御弁７に入力される指令信号を制御することによって、リリーフ圧を高リリーフ圧と低リリーフ圧とに切り換えることができる。
【００１１】
まず、電磁比例圧力制御弁７に指令信号が入力されていない状態では、第２内部空間５５に充填された第１流路２２の流体が第２ピストン部５２を介してスプール３を押す力（図６の矢印Ａ２参照）と、第１付勢部材４からスプール３に加えられる付勢力（図６の矢印Ａ３参照）とが釣り合った状態となる。第１流路２２の流体の圧力が増大すると、スプール３が第１付勢部材４の付勢力Ａ３に抗して図の左方向に移動する。そして、第１流路２２の流体の圧力が所定の圧力値（高リリーフ圧）に達した場合に、スプール３が第１流路２２とリリーフ流路２３との間を開いた状態（以下「リリーフ状態」と呼ぶ）となり、流体のリリーフが行われる。
【００１２】
次に、電磁比例圧力制御弁７に指令信号が入力され、第１流路２２から第２流路２４に流体が送られると、低圧ピストン１０に第２流路２４の流体の圧力が作用する。第２流路２４の流体の圧力によって低圧ピストン１０に作用する力が、第１ピストン部５１から低圧ピストン１０に加えられる力、すなわち、第１流路２２の流体の圧力によって内部ピストン５に作用する力よりも大きい場合は、図７の矢印Ａ１に示すように、低圧ピストン１０が内部ピストン５と共にスプール３の第１端部３１を押圧する。このため、スプール３の位置は、第２流路２４の流体の圧力によって低圧ピストン１０に作用する力と、第１付勢部材４の付勢力との釣り合いによって定まる。そして、第１流路２２の流体の圧力が所定のリリーフ圧に達した場合に、スプール３がリリーフ状態となる。ここで、低圧ピストン１０の径は第２内部空間５５の径よりも大きいため、この場合のリリーフ圧は、上記の高リリーフ圧ＰＨよりも低い値となる。また、このとき、第２流路２４の流体の圧力が最大、すなわち、第１流路２２の流体の圧力と同じとなり、リリーフ圧が低リリーフ圧ＰＬとなる。
【００１３】
しかし、このリリーフ弁では、第１ピストン部５１から低圧ピストン１０に加えられる力、すなわち、第１流路２２の流体の圧力によって内部ピストン５から低圧ピストン１０に作用する力が、第２流路２４の流体の圧力によって低圧ピストン１０に作用する力すなわち、低圧ピストン１０が内部ピストン５を押す力Ａ１よりも大きい場合は、図７に示す電磁比例圧力制御弁７に指令信号が入力されていない状態と同様に、第２内部空間５５に充填された第１流路２２の流体が第２ピストン部５２を介してスプール３を押す力Ａ２と、第１付勢部材４からスプール３に加えられる付勢力Ａ３との釣り合いによってスプール３の位置が定められる。従って、第２流路２４の流体の圧力によって低圧ピストン１０に作用する力が、第１流路２２の流体の圧力によって内部ピストン５から低圧ピストン１０に作用する力に達するまでは、電磁比例圧力制御弁７に入力する指令信号が変化しても（図８の破線Ｌ３参照）、リリーフ圧は上記の高リリーフ圧ＰＨで一定となる（図８の実線Ｌ１参照）。そして、第２流路２４の流体の圧力によって低圧ピストン１０に作用する力が、第１流路２２の流体の圧力によって内部ピストン５から低圧ピストン１０に作用する力に達すると、リリーフ圧は低リリーフ圧ＰＬに切り替わり一定となる（図８の実線Ｌ２参照）。従って、リリーフ圧を高リリーフ圧と低リリーフ圧との間の値で任意に設定することが困難である。
【００１４】
本発明の課題は、リリーフ圧を高リリーフ圧と低リリーフ圧との間で任意に設定することができるリリーフ弁を提供することにある。
【課題を解決するための手段】
【００１５】
第１発明にかかるリリーフ弁は、ケーシングと、スプールと、第１付勢部材と、内部ピストンと、電磁比例圧力制御弁と、押圧部とを備える。ケーシングには、流体圧発生源に接続される第１流路と、リリーフ流路と、第１流路に連通する第２流路と、が形成されている。スプールには、一端側の第１端部から他端側の第２端部方向に陥入して設けられた第１内部空間と、第１内部空間と第１流路とを連通する第１連通路とが形成されている。また、スプールは、第１流路とリリーフ流路との間を開閉する。第１付勢部材は、スプールの第２端部を押圧可能に設けられ、第１流路とリリーフ流路との間を閉じる方向にスプールを付勢する。内部ピストンは、第１ピストン部と、第２ピストン部と、第２付勢部材とを有する。第１ピストン部は、第１内部空間において第１端部側に配置される。第２ピストン部は、第１ピストン部と軸方向に並んで第２端部側に配置される。第２付勢部材は、第１ピストン部と第２ピストン部との間に設けられる。そして、内部ピストンにおいては、第２ピストン部に設けられた第２連通路を介して第１内部空間と連通し且つ第１内部空間より小径の第２内部空間が第１ピストン部と第２ピストン部との間に形成されている。電磁比例圧力制御弁は、入力される指令信号に応じて第１流路と第２流路との間を開閉し、第１流路を流れる流体を減圧して第２流路に送ることができる。そして、押圧部は、第１流路の流体の圧力によって内部ピストンに作用する力から独立して、第２流路の流体の圧力を用いて、スプールの第１端部を押圧可能である。
【００１６】
このリリーフ弁では、押圧部が、第１流路の流体の圧力による力と第２流路の流体の圧力による力との釣り合いに関わらず、第２流路の流体の圧力を用いて、スプールの第１端部を押圧することができる。このため、第２流路の流体の圧力を調整することによって、リリーフ圧を高リリーフ圧と低リリーフ圧との間で任意に設定することができる。
【００１７】
第２発明にかかるリリーフ弁は、第１発明のリリーフ弁であって、押圧部は、スプールの第１端部側の空間と第２流路とを連通する第３連通路を有する。
【００１８】
このリリーフ弁では、第２流路の流体が、第３連通路を通ってスプールの第１端部側の空間に充填される。スプールの第１端部側の空間に充填された流体は、スプールの第１端部と内部ピストンとを押圧する。この場合、流体は、従来の低圧ピストン１０のように第１端部と内部ピストンとを一体的に押圧するのではなく、第１端部と内部ピストンとを互いに相対移動可能に押圧することができる。このため、押圧部は、第１流路の流体の圧力によって内部ピストンに作用する力から独立して、スプールの第１端部を押圧することができる。
【００１９】
第３発明にかかるリリーフ弁は、第１発明のリリーフ弁であって、押圧部は、内部ピストンに対向する円筒部と、円筒部の外周に設けられ第２流路と連通する円管状空間において、軸方向に移動可能に設けられ第２流路の流体の圧力によって押圧されることによりスプールの第１端部のみを押圧する押圧部材と、を有する。
【００２０】
このリリーフ弁では、第２流路の流体の圧力による力が押圧部材を介してスプールの第１端部に伝達される。押圧部材は、内部ピストンを押圧せずにスプールの第１端部のみを押圧することができる。このため、押圧部は、第１流路の流体の圧力によって内部ピストンに作用する力から独立して、スプールの第１端部を押圧することができる。
【００２１】
第４発明にかかるリリーフ弁は、第３発明のリリーフ弁であって、ケーシングには、押圧部の円筒部より大きな外径の円筒形状を有し第２流路と連通する孔が形成されている。そして、円筒部は、ケーシングと別体であり、ケーシングの孔に同軸に配置されることにより、上記の円管状空間を構成する。
【００２２】
このリリーフ弁では、押圧部の円筒部がケーシングと別体であり、ケーシングの孔に同軸に配置されることにより、押圧部材が配置される円管状空間を構成する。このため、ケーシングに孔を穿ち、その孔に円筒部および押圧部材を配置することにより、押圧部を製造することができる。よって、このリリーフ弁では、製造が容易である。
【発明の効果】
【００２３】
本発明にかかるリリーフ弁では、押圧部が、第１流路の流体の圧力による力と第２流路の流体の圧力による力との釣り合いに関わらず、第２流路の流体の圧力を用いて、スプールの第１端部を押圧することができる。このため、第２流路の流体の圧力を調整することによって、リリーフ圧を高リリーフ圧と低リリーフ圧との間で任意に設定することができる。
【発明を実施するための最良の形態】
【００２４】
＜第１実施形態＞
〔構成〕
本発明の第１実施形態にかかるリリーフ弁１ａを図１に示す。このリリーフ弁１ａは、ケーシング２と、スプール３と、第１付勢部材４と、内部ピストン５と、電磁比例圧力制御弁７と、押圧部８ａを備える。
【００２５】
ケーシング２には、油圧ポンプなどの流体圧発生源１００に接続される第１流路２２と、流体が流出するリリーフ流路２３と、第１流路２２に連通する第２流路２４と、が形成されている。なお、第１流路２２の途中にはフィルター２９が設けられている。また、ケーシング２には、スプール３が収納されるスプール収納空間Ｓ１と、このスプール収納空間Ｓ１と第２流路２４とを連通する第３連通路８１とが形成されている。なお、ケーシング２は、スプール収納空間Ｓ１が形成される第１ケーシング部２ａと、第３連通路８１が形成される第２ケーシング部２ｂとに分割されており、第１ケーシング部２ａと第２ケーシング部２ｂとの繋ぎ目は、Ｏリングなどの複数のシール部材２５によってシールされている。なお、図中では一部のシール部材２５にのみ符号を伏して他は省略している。
【００２６】
スプール３は、上記のスプール収納空間Ｓ１に配置されており、スプール収納空間Ｓ１において軸方向に移動可能である。スプール３は、軸方向に移動することによって、第１流路２２とリリーフ流路２３との間を開閉する。具体的には、図中の左方向に移動して所定のリリーフ位置まで移動することにより、第１流路２２とリリーフ流路２３との間を開くリリーフ状態となる。また、リリーフ位置から図中の右側に移動することにより、第１流路２２とリリーフ流路２３との間を閉じる閉状態となる。スプール３には、第１内部空間３３と、第１連通路３４と、が形成されている。第１内部空間３３は、一端側の第１端部３１から他端側の第２端部３２方向に陥入して設けられており、内部ピストン５の形状に対応した円筒状の形状を有している。第１連通路３４は、スプール３の側面から第１内部空間３３を構成する凹部の底面までに亘って形成されており、第１内部空間３３と第１流路２２とを連通する。
【００２７】
第１付勢部材４は、第１流路２２とリリーフ流路２３との間を閉じる方向にスプール３を付勢するバネである。第１付勢部材４は、ケーシング２のスプール収納空間Ｓ１にスプール３と共に設けられており、一端がケーシング２に固定され、他端がスプール３の第２端部３２に固定されている。これにより、第１付勢部材４は、スプール３の第２端部３２を押圧可能である。
【００２８】
内部ピストン５は、スプール３の第１内部空間３３に収納されており、軸方向に移動可能となっている。内部ピストン５は、第１ピストン部５１と、第２ピストン部５２と、第２付勢部材５３とを有する。
【００２９】
第１ピストン部５１は、第１内部空間３３において第２ピストン部５２よりも第１端部３１側に配置されている。第１ピストン部５１の一端は、第３連通路８１と対向しており、その縁部にテーパが形成された先細り状の形状を有している。第１ピストン部５１の他端には、軸方向に陥入する凹部５６が設けられている。
【００３０】
第２ピストン部５２は、第１ピストン部５１と軸方向に並んで第１ピストン部５１より第２端部３２側に配置されている。第１ピストン部５１と対向する第２ピストン部５２の一端には、軸方向に陥入した凹部５７が形成されている。また、第２ピストン部５２の他端は、第１連通路３４と対向している。第２ピストン部５２の凹部５７と、第１ピストン部５１の凹部５６とは、第２内部空間５５を構成している。この第２内部空間５５は、第１ピストン部５１と第２ピストン部５２との間に形成されており、当然ながら、第１内部空間３３よりも小径になっている。また、第２ピストン部５２には、軸方向に沿って第２連通路５４が形成されている。この第２連通路５４は、第１内部空間３３のうち内部ピストン５よりもスプール３の第２端部３２側に位置する空間Ｓ２と、第２内部空間５５とを連通している。
【００３１】
第２付勢部材５３は、第１ピストン部５１と第２ピストン部５２との間に設けられており、第１ピストン部５１と第２ピストン部５２とに互いに反力を生じさせる。第２付勢部材５３は、第２内部空間に収納されている。
【００３２】
電磁比例圧力制御弁７は、ソレノイド電流に応じてボールポペット（図示せず）の開度を変化させることにより流体の圧力を調整することができるボールポペット弁であり、入力される指令信号に応じて第２流路２４の流体の圧力を調整することができる。電磁比例圧力制御弁７は、指令信号の電流値が大きくなるほど第２流路２４の流体の圧力が大きくなるように、ボールポペットの開度を制御する（図３の破線Ｌ６参照）。
【００３３】
押圧部８ａは、上述した第３連通路８１を有し、第２流路２４の流体を第３連通路８１を介して、スプール収納空間Ｓ１のうちスプール３の第１端部３１側の部分に充填することができる。このため、押圧部８ａは、第２流路２４の流体の圧力を用いて、第１流路２２の流体の圧力によって内部ピストン５に作用する力Ａ４から独立して、スプール３の第１端部３１を押圧することができる。
【００３４】
〔リリーフ圧の設定〕
次に、このリリーフ弁１ａによるリリーフ圧の設定について説明する。
【００３５】
まず、電磁比例圧力制御弁７に指令信号が入力されていない状態では、従来のリリーフ弁１ａと同様の作用が生じ、リリーフ圧は高リリーフ圧ＰＨとなっている（図３参照）。なお、図３のグラフは、電磁比例圧力制御弁７への指令値とリリーフ圧との関係および電磁比例圧力制御弁７への指令値と第２流路の流体の圧力との関係を示している。ここでは、図１に示すように、第２内部空間５５に充填された第１流路２２の流体が第２ピストン部５２を介してスプール３を押す力Ａ２と、第１付勢部材４からスプール３に加えられる付勢力Ａ３とが釣り合った状態となる。第１流路２２の流体の圧力が増大すると、スプール３が第１付勢部材４の付勢力Ａ３に抗して図の左方向に移動する。そして、第１流路２２の流体の圧力が高リリーフ圧ＰＨに達した場合に、スプール３がリリーフ状態となり、流体のリリーフが行われる。すなわち、高リリーフ圧ＰＨは、スプール３がリリーフ位置にある状態での第１付勢部材４の付勢力Ａ３と、第２内部空間５５に充填された第１流路２２の流体が第２ピストン部５２を介してスプール３を押す力Ａ２とが釣り合うときの第１流路２２の流体の圧力である。
【００３６】
次に、電磁比例圧力制御弁７に指令信号が入力され、第１流路２２から第２流路２４に流体が送られると、押圧部８ａの第３連通路８１を通って、スプール収納空間Ｓ１のうちスプール３に対して第１端部３１側に位置する部分に第２流路２４の流体が充填される。この流体は、スプール３の第１端部３１と、内部ピストン５とを互いに相対移動可能に押圧することができる（図２の矢印Ａ５，Ａ６参照）。このため、図２に示すように、押圧部８ａは、第２流路２４の流体の圧力を用いて、第１流路２２の流体の圧力によって内部ピストン５に作用する力Ａ４から独立して、スプール３の第１端部３１を押圧することができる。そして、第２流路２４の流体の圧力によってスプール３の第１端部３１に作用する力Ａ６と、第２内部空間５５に充填された第１流路２２の流体が第２ピストン部５２を介してスプール３を押す力Ａ２との合力と、第１付勢部材４からスプール３に加えられる付勢力Ａ３とが釣り合った状態となる。第２流路２４の流体の圧力によってスプール３の第１端部３１に作用する力Ａ６は、電磁比例圧力制御弁７への指令信号を変更することによって変更することができ、これにより、図３の実線Ｌ４に示すようにリリーフ圧を任意に設定することができる。なお、第２流路２４の流体の圧力が最大となるとき、すなわち、第２流路２４の流体の圧力が第１流路２２の流体の圧力と同じになったときに、このリリーフ弁１ａにおけるリリーフ圧の最低値（低リリーフ圧ＰＬ）となる（図３の実線Ｌ５参照）。
【００３７】
〔特徴〕
このリリーフ弁１ａでは、第１付勢部材４によって付勢されたスプール３と、スプール３の内部に設けられた内部ピストン５と、押圧部８ａと、による力の釣り合いによって、リリーフ圧を高リリーフ圧から低リリーフ圧までの間で調整することができる。ここで、押圧部８ａは、第１流路２２の流体の圧力によって内部ピストン５に作用する力から独立して、スプール３の第１端部３１を押圧可能であり、その押圧力は、電磁比例圧力制御弁７による第２流路２４の流体の圧力を調整することによって、任意に設定可能である。このため、上記のように、電磁比例圧力制御弁７への指令信号を変更することにより、高リリーフ圧ＰＨと低リリーフ圧ＰＬとの間でリリーフ圧を任意に設定することができる。
【００３８】
＜第２実施形態＞
本発明の第２実施形態にかかるリリーフ弁１ｂを図４に示す。このリリーフ弁１ｂでは、第１実施形態にかかるリリーフ弁１ａの押圧部８ａに代えて押圧部８ｂが設けられている。この押圧部８ｂは円筒部８２と、押圧部材８３とを有する。
【００３９】
円筒部８２は、第２ケーシング部２ｂにおいて、円管状の孔２８が穿設されることにより、その中心部に形成される部分である。円筒部８２は、内部ピストン５に対向しており、その外周には、上記の円管状の孔２８によって構成される円管状空間Ｓ３が形成されている。この円管状空間Ｓ３は第２流路２４と連通している。また、円筒部８２の外径は、第１内部空間３３の内径および内部ピストン５の外径と概ね同じである。
【００４０】
押圧部材８３は、円管状空間Ｓ３において軸方向に移動可能に設けられている。第２流路２４は、円管状空間Ｓ３のうち押圧部材８３よりもスプール３と反対側の空間に連通している。押圧部材８３は、この空間に第２流路２４からの流体が充填されることにより、第２流路２４の流体の圧力によってスプール３に向かう方向に押圧される（図中の矢印Ａ７参照）。押圧部材８３は、スプール３の第１端部３１と概ね同様の内径および外径を有する円管状の形状を有しており、第２流路２４の流体の圧力によって、スプール３の第１端部３１のみを押圧することができる。
【００４１】
なお、上記の第１実施形態において述べたように、第１ピストン部５１の端部が先細り状の形状となっているため、押圧部材８３の内径がスプール３の第１端部３１の内径すなわち第１内部空間３３の径より多少小さくても、第１ピストン部５１に接触せずにスプール３の第１端部３１のみを押圧することができる。
【００４２】
他の構成およびリリーフ圧の設定については、第１実施形態にかかるリリーフ弁１ａと同様である。
【００４３】
以上のようなリリーフ弁１ｂによっても、上記の第１実施形態にかかるリリーフ弁１ａと同様の効果を奏することができる。
【００４４】
＜第３実施形態＞
本発明の第３実施形態にかかるリリーフ弁１ｃを図５に示す。このリリーフ弁１ｃでは、第１実施形態にかかるリリーフ弁１ａの押圧部８ａに代えて押圧部８ｃが設けられている。また、ケーシング２には、円筒形状を有し第２流路２４と連通する孔２７が形成されている。この孔２７は、スプール３の第１端部３１の外径と概ね同じであり、後述する押圧部８ｃの円筒部８４の外径よりも大きい径を有している。押圧部８ｃは円筒部８４と、押圧部材８５とを有する。
【００４５】
円筒部８４は、ケーシング２とは別体となっており、ケーシング２の孔よりも小さく且つ内部ピストン５の外径よりも小さな外径を有している。円筒部８４は、ケーシング２の孔２７の内部に孔２７の中心軸と同軸に配置される。これにより、円筒部８４の外周面と孔２７の内周面との間に、上記の第２実施形態にかかるリリーフ弁１ｂの円管状空間Ｓ３と同様の空間Ｓ４を構成する。なお、円筒部８４の外径および孔２７の径は調圧する圧力の下限値より決まるものであるため、これらの径を調整することにより調圧する圧力の下限値を設定できる。
【００４６】
押圧部材８５については、第２実施形態にかかるリリーフ弁１ｂの押圧部材８３と同様である。
【００４７】
他の構成およびリリーフ圧の設定については、第１実施形態にかかるリリーフ弁１ａと同様である。
【００４８】
このリリーフ弁１ｃでは、上記の実施形態にかかるリリーフ弁１ａと同様の効果を奏することができる。また、このリリーフ弁１ｃでは、ケーシング２に円筒形状の孔２７を穿ち、その孔２７に円筒部８４および押圧部材８５を配置することにより、押圧部８ｃを簡易に製造することができる。
【産業上の利用可能性】
【００４９】
本発明は、リリーフ圧を高リリーフ圧と低リリーフ圧との間で任意に設定することができ、リリーフ弁として有用である。
【図面の簡単な説明】
【００５０】
【図１】第１実施形態にかかるリリーフ弁の構成を示す断面図。
【図２】第１実施形態にかかるリリーフ弁の構成を示す断面図。
【図３】電磁比例圧力制御弁への指令値とリリーフ圧との関係を示す図。
【図４】第２実施形態にかかるリリーフ弁の構成を示す断面図。
【図５】第３実施形態にかかるリリーフ弁の構成を示す断面図。
【図６】従来のリリーフ弁の構成を示す断面図。
【図７】従来のリリーフ弁の構成を示す断面図。
【図８】従来のリリーフ弁における電磁比例圧力制御弁への指令値とリリーフ圧との関係を示す図。
【符号の説明】
【００５１】
１ａ−１ｃ  リリーフ弁
２          ケーシング
３          スプール
４          第１付勢部材
５          内部ピストン
７          電磁比例圧力制御弁
８ａ−８ｃ  押圧部
２２        第１流路
２３        リリーフ流路
２４        第２流路
３３        第１内部空間
３４        第１連通路
５１        第１ピストン部
５２        第２ピストン部
５３        第２付勢部材
５５        第２内部空間
８１        第３連通路
８２、８４  円筒部
８３，８５  押圧部材
【図１】
2008256045.tif 000003
【図２】
2008256045.tif 000004
【図３】
2008256045.tif 000005
【図４】
2008256045.tif 000006
【図５】
2008256045.tif 000007
【図６】
2008256045.tif 000008
【図７】
2008256045.tif 000009
【図８】
2008256045.tif 000010